【事件の表示】
　特願２０１５−１０４７２２「印刷制御装置、印刷制御装置の制御方法、及びプリンタドライバプログラム」拒絶査定不服審判事件〔平成２８年１２月２２日出願公開、特開２０１６−２１８８５４、請求項の数（８）〕について、次のとおり審決する。
【結　論】
　原査定を取り消す。
　本願の発明は、特許すべきものとする。
【理　由】
第１．手続きの経緯
　本願は、平成２７年５月２２日の出願であって、平成３０年１１月９日付けで拒絶理由通知がされ、平成３１年１月１０日に意見書が提出されるとともに手続補正がなされたが、平成３１年３月２６日付けで拒絶査定（原査定）がされ、これに対し、令和元年６月２８日に拒絶査定不服審判の請求がなされたものである。
第２．原査定の概要
　原査定（平成３１年３月２６日付け拒絶査定）の概要は次のとおりである。
　本願の請求項１−２、７−８に係る発明は、以下の引用文献１、２に基づいて、また、本願の請求項３−６に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
引用文献等一覧
　１．特開２００６−８５３５９号公報
　２．特開２０１３−１１０４７０号公報
　３．特開２００１−３４４０５１号公報
第３　本願発明
　本願の請求項１−８に係る発明（以下、それぞれ「本願発明１」−「本願発明８」という。）は、平成３１年１月１０日になされた手続補正で補正された特許請求の範囲の請求項１−８に記載された事項により特定される発明であり、本願発明１は以下のとおりの発明である。
「【請求項１】
　印刷装置に接続される印刷制御装置であって、
　表示装置の表示を制御するための表示制御手段と、
　前記表示装置に表示される画面に対する操作を受付けるための受付手段と、
　前記受付手段が受付けた操作に応じて、前記印刷装置で実行される機能の条件設定を行なうための設定手段と、を含み、
　前記表示制御手段は、
　　前記印刷装置が実行可能な機能の条件を選択して設定するための操作項目を含む基本設定画面を表示するよう、前記表示装置の表示を制御するための第１の表示制御手段と、
　　前記基本設定画面において、前記操作項目に対する第１の操作を前記受付手段が受付けたことに応答して、前記基本設定画面に代えて、操作された前記操作項目で設定される機能の詳細な条件を設定するための詳細設定画面を表示するよう、前記表示装置の表示を制御するための第２の表示制御手段と、を含み、
　前記設定手段は、前記操作項目に対する前記第１の操作とは異なる第２の操作を前記受付手段が受付けたことに応答して、当該操作項目の操作により選択された条件を設定するための条件設定手段を含む、印刷制御装置。」
　なお、本願発明２−８の概要は以下のとおりである。
　本願発明２は、本願発明１を減縮した発明である。
　本願発明３は、本願発明１又は２を減縮した発明である。
　本願発明４は、本願発明３を減縮した発明である。
　本願発明５は、本願発明４を減縮した発明である。
　本願発明６は、本願発明１〜５のいずれかを減縮した発明である。
　本願発明７は、本願発明１に対応する方法の発明であり、本願発明１とカテゴリ表現が異なるだけの発明である。
　本願発明８は、本願発明１に対応するプログラムの発明であり、本願発明１とカテゴリ表現が異なるだけの発明である。
第４　引用文献、引用発明等
１．引用文献１について
　原査定の拒絶の理由に引用された上記引用文献１には、図面とともに次の事項が記載されている（下線は、当審付与。以下同様。）。
（１）
「【００１９】
　以下、本発明を具体的に説明する。
　図１には本例に係るユーザインタフェース装置の構成を示してあり、図２には当該
ユーザインタフェース装置を適用した複写機能、プリンタ機能、ファクシミリ機能を備えた複合機
　本例の
ユーザインタフェース装置１は、ユーザに対して情報を表示し、また、ユーザからの操作入力を受け付けるために複合機２に設けられており、複合機２の種々な機能処理がユーザインタフェース装置１からの操作によって設定され
【００２０】
　なお、図２に示す
複合機２は情報を表示出力する画面（表示部）１１
を備え
ユーザインタフェース装置１は、表示部１１の画面上に重ねて設けられた透過性のタッチパネル１２によりユーザからの操作入力を受け付けて動作する
　
すなわち、
ユーザインタフェース装置１は、液晶パネルからなる画面を表示部１１として備え、当該画面１１上にユーザからの操作入力を受け付ける操作ボタンを構成するタッチパネル（操作部）１２を備え
（２）
「【００２１】
　
ユーザインタフェース装置１は、更に、操作ボタンの押下時間と予め設定された所定時間とに基づいて表示部の画面１１への表示処理に係る判定を行う判定部１３、画面１１への設定メニュー
に係る表示処理を行う表示処理部１４、画面１１に表示する設定メニュー
等の表示用データを保持する記憶部１５を備え
　
また、判定部１３は操作ボタンの押下時間を計時するタイマ１６を有し
表示処理部１４は、
画面１１における設定メニュー
の表示態様を切り換える表示切り換え部１８
を有し
　なお、図１において２０は複合機２へ設定処理を行う実処理部であり、
判定部１３が操作ボタンからの操作入力が複合機２への設定操作と判定した場合に、当該操作入力に応じた機能の設定処理を行う
（３）
「【００２２】
　次に、図３〜図６を参照して、本例のユーザインタフェース装置１による関連する設定メニューの透過表示処理を説明する。
　まず、
表示処理部１４が記憶部１５の表示用データに基づいて画面１１に設定メニューを表示している状態において、
（４）
「【００２３】
　
例えば、
文書保存先の指定に係る「基本スキャン」の設定メニュー２１を画面１１に表示している状態において、当該設定メニュー２１に含まれる項目（文書の保存先を設定するための「メール」「親展ボックス」、カラーモードを設定するための「フルカラー」「白黒」「白黒（写真）、」、読取解像度を設定するための「２００ｄｐｉ」「４００ｄｐｉ」「６００ｄｐｉ」）に対応するタッチパネル１２の操作ボタン領域が押下されると、当該押下時間が計時され
【００２４】
　
上記の計時により、予め設定されている第１所定時間（例えば、１秒間）以上で連続して操作ボタンが押下（長押し）されている場合には、判定部１３が関連する他の設定メニューの透過表示することを判定する
この判定に応じて、表示処理部１４が記憶部１５から表示用データを取得して
当該画面表示されている設定メニュー２１の次に表示するように関連付けられている他の設定メニュー（次ぎのページ）２２を当該設定メニューに重ねて画面１１に透過表示する
【００２５】
　
例えば、
設定メニュー２１が画面１１に表示されている状態において、設定項目「メール」に対して操作ボタンが第１所定時間以上にわたって押下されると、
設定事項の記入欄「宛先」「件名」「返信先」、操作ボタン項目「ヘルプ」「アドレス帳」「閉じる」を含んだ次ぎの設定メニュー２２が設定メニュー２１に重ねて画面１１に透過状態で表示され
　したがって、ユーザは設定項目「メール」を選択した場合に次ぎにどのような項目の設定を行うかを知ることができ、設定メニュー間の関連を認知した上で的確な設定操作を行うことができる。」
（５）
「【００２７】
　
上記のように透過表示している状態で、操作ボタンが更に長押しされ
予め設定されている第１所定時間以上の第２所定時間（例えば、３秒間）以上で連続して操作ボタンが押下（長押し）されている場合には、判定部１３が当該操作ボタンによる設定項目に対するユーザの操作入力と判定し
当該判定に応じて、実処理部２０が操作入力に従った設定処理を行い
表示処理部１４が記憶部１５から表示用データを取得して表示されている設定メニューを次の設定メニューに切り換えて画面１１に表示する
【００２８】
　
例えば、
次ぎの設定メニュー２２が設定メニュー２１に重ねて画面１１に透過で表示される状態で、設定項目「メール」の操作ボタンが更に長押しされると、
画面１１の表示は次ぎの設定メニュー２２に切り換えられ
　したがって、ユーザは設定項目を選択した場合に、第１と第２の所定時間の間（例えば、２秒間）の間で次ぎにどのような項目の設定を行うかを知ることができ、当該操作ボタンの押下を更に継続することで次ぎの設定メニューの画面表示に切り換えることができる。」
（６）
「【００２９】
　
上記の処理において、第１所定時間未満で操作ボタンの押下が終了した場合には
判定部１３が当該操作ボタンによる設定項目に対するユーザの操作入力と判定し、当該判定に応じて、実処理部２０が操作入力に従った設定処理を行い
表示処理部１４が記憶部１５から表示用データを取得して
表示されている設定メニューを次の設定メニューに切り換えて画面１１に表示する
　したがって、第１所定時間未満の短時間の押下操作によって、画面１１に表示される設定メニューを順次切り換えながら設定を行う操作を迅速に行うことができる。
【００３０】
　
また、上記の処理において、第１所定時間以上で第２所定時間に達するまでの間に、操作ボタンの押下が終了した場合には
表示処理部１４が次ぎの設定メニュー２２の透過表示を終了し
、画面１１に設定メニュー２１を表示して操作ボタンの入力待ち状態に復帰する
　したがって、ユーザは操作ボタンを第１所定時間以上で長押し、次ぎの設定メニューが透過表示されたところで操作ボタンから指を離すといった作法を行うことで、次ぎの設定メニューの内容を透過表示させて容易に知ることができる。」
（７）
「【図４】
【図５】
【図６】
」
　したがって、上記引用文献１には次の発明（以下、「引用発明」という。）が記載されていると認められる。
「ユーザインタフェース装置を適用した複写機能、プリンタ機能、ファクシミリ機能を備えた複合機において、ユーザインタフェース装置１は、ユーザに対して情報を表示し、また、ユーザからの操作入力を受け付けるために複合機２に設けられており、複合機２の種々な機能処理がユーザインタフェース装置１からの操作によって設定され、（【００１９】）
　複合機２は情報を表示する画面（表示部）１１を備え、ユーザインタフェース装置１は、表示部１１の画面上に重ねて設けられた透過性のタッチパネル１２によりユーザからの操作入力を受け付けて動作し、すなわち、ユーザインタフェース装置１は、液晶パネルからなる画面を表示部１１として備え、当該画面１１上にユーザからの操作入力を受け付ける操作ボタンを構成するタッチパネル（操作部）１２を備え、（【００２０】）
　ユーザインタフェース装置１は、更に、操作ボタンの押下時間と予め設定された所定時間とに基づいて表示部の画面１１への表示処理に係る判定を行う判定部１３、画面１１への設定メニューに係る表示処理を行う表示処理部１４、画面１１に表示する設定メニュー等の表示用データを保持する記憶部１５を備え、
　また、判定部１３は、操作ボタンの押下時間を計時するタイマ１６を有し、前記表示処理部１４は、画面１１における設定メニューの表示態様を切り替える表示切り換え部１８を有しており、
　また、複合機２へ設定処理を行う実処理部２０は、判定部１３が操作ボタンからの操作入力が複合機２への設定操作と判定した場合に、当該操作入力に応じた機能設定を行い、（【００２１】）
　表示処理部１４が記憶部１５の表示用データに基づいて画面１１に設定メニューを表示している状態において、例えば、文書保存先の指定に係る「基本スキャン」の設定メニュー２１を画面１１に表示している状態において、当該設定メニュー２１に含まれる項目（文書の保存先を指定するための「メール」「親展ボックス」、カラーモードを設定するための「フルカラー」「白黒」「白黒（写真）、」、読取解像度を設定するための「２００ｄｐｉ」「４００ｄｐｉ」「６００ｄｐｉ」）に対応するタッチパネル１２の操作ボタン領域が押下されると、当該押下時間が計時され、（【００２２】〜【００２３】）
　上記計時により、予め設定されている第１所定時間（例えば、１秒間）以上で連続して操作ボタンが押下（長押し）されている場合には、判定部１３が関連する他の設定メニューの透過表示することを判定し、この判定に応じて、表示処理部１４が記憶部１５から表示用データを取得して、当該画面表示されている設定メニュー２１の次に表示するように関連付けられている他の設定メニュー（次ぎのページ）２２を当該設定メニューに重ねて画面１１に透過表示するものであり、（【００２４】）
　例えば、設定メニュー２１が画面１１に表示されている状態において、設定項目「メール」に対して操作ボタンが第１所定時間以上にわたって押下されると、設定事項の記入欄「宛先」「件名」「返信先」、操作ボタン項目「ヘルプ」「アドレス帳」「閉じる」を含んだ次ぎの設定メニュー２２が設定メニュー２１に重ねて画面１１に透過状態で表示され、（【００２５】）
　上記のように透過表示している状態で、操作ボタンが更に長押しされ、予め設定されている第１所定時間以上の第２所定時間（例えば、３秒間）以上で連続して操作ボタンが押下（長押し）されている場合には、判定部１３が当該操作ボタンによる設定項目に対するユーザの操作入力と判定し、当該判定に応じて、実処理部２０が操作入力に従った設定処理を行い、表示処理部１４が記憶部１５から表示用データを取得して表示されている設定メニューを次の設定メニューに切り換えて画面１１に表示し、（【００２７】）
　例えば、次ぎの設定メニュー２２が設定メニュー２１に重ねて画面１１に透過で表示される状態で、設定項目「メール」の操作ボタンが更に長押しされると、画面１１の表示は次ぎの設定メニュー２２に切り換えられ、（【００２８】）
　上記の処理において、第１所定時間未満で操作ボタンの押下が終了した場合には、判定部１３が当該操作ボタンによる設定項目に対するユーザの操作入力と判定し、当該判定に応じて、実処理部２０が操作入力に従った設定処理を行い、表示処理部１４が記憶部１５から表示用データを取得して、表示されている設定メニューを次の設定メニューに切り換えて画面１１に表示し、（【００２９】）
　また、上記の処理において、第１所定時間以上で第２所定時間に達するまでの間に、操作ボタンの押下が終了した場合には、表示処理部１４が次ぎの設定メニュー２２の透過表示を終了し、画面１１に設定メニュー２１を表示して操作ボタンの入力待ち状態に復帰し、（【００３０】）
　上記画面１１において「基本スキャン」の設定メニュー２１から操作ボタンの操作により表示される「次の設定メニュー２２」は、依然として、「基本スキャン」の設定メニューの画面のままであって、隣接するタブによって同時にその存在が図示されている「詳細設定」の画面に切り換えられていない、（【図４】、【図６】）
　ユーザインタフェース装置１。」
２．引用文献２について
　原査定の拒絶の理由に引用された上記引用文献２には、図面とともに次の事項が記載されている。
（８）
「【００３１】
　以下に説明する画像処理システムは、電子写真方式や静電記録方式などによって画像形成を行う画像形成装置（画像処理装置の一例）を含むシステムである。本実施の形態における
画像形成装置は、スキャナ機能、ファクシミリ機能、複写機能、プリンタとしての機能、データ通信機能、およびサーバ機能を備えたＭＦＰや、ファクシミリ装置、複写機、プリンタなどであってもよい。画像処理システムは、画像形成装置の代わりにＰＣやスキャナなどの画像処理装置を含むシステムであってもよい。
（９）
「【００３８】
　
携帯情報端末２は、
携帯型のコンピュータ装置である
携帯情報端末２は、無線通信部を有しており、画像形成装置１や情報処理装置３などとの間で文書の送受信を行う
（１０）
「【００５７】
　
画像形成装置１は、画像形成装置１と通信可能な状態にある携帯情報端末２、および操作パネル１３０のうち少なくとも一方を通じて、画像形成装置１に関する各種の操作を受け付ける
画像形成装置１は、携帯情報端末２が画像形成装置１と通信可能な状態にある場合に、画像形成装置１の操作に関する画面であって互いに関連する画面を、携帯情報端末２と操作パネル１３０との各々に表示する
　したがって、上記引用文献２には、スキャナ機能、ファクシミリ機能、複写機能、プリンタとしての機能などの画像形成装置と無線通信可能な携帯情報端末が、画像形成装置の操作に関する画面を表示し、画像形成装置に関する各種の操作を受け付けるという技術的事項が記載されていると認められる。
３．引用文献３について
　原査定の拒絶の理由に引用された上記引用文献３には、図面とともに次の事項が記載されている。
（１１）
「【００２１】図１に示したように、第１実施形態に係る
情報処理装置２０は、
コンピュータ１０に
プリンタ３０用のプリンタドライバ３１をインストールした構成
（１２）
「【００２５】図示してあるように、プリンタフォルダ内のプリンタアイコンの操作により、
プリンタ３０のプロパティＤＢの表示
プロパティＤＢを、ディスプレイ１２に表示させる
【００２６】
図３及び図４に、プリンタプロパティ変更処理時に表示されるプロパティＤＢの構成を示す
プロパティＤＢ４０ 1は
全般タブと詳細タブと基本設定タブ４１
等を備えている。
（１３）
「【００２８】基本設定タブ４１の選択によって表示される（最前面に出される）
基本設定タブページには
詳細設定ダイアログボックスを表示させるための設定変更ボタン５４等が設けられ
詳細設定ダイアログボックスとは、印刷品質に関する設定を行なうための各種のコントロールが設けられたダイアログボックス
（１４）
「【００３１】
リスト領域４６は、全般タブページ、詳細タブページが前面に出ているときは、表示されないが、基本設定タブページ、用紙設定タブページ、レイアウトタブページ及びユーティリティタブページのいずれかが前面に出ている場合には、表示されるもの（一種のリストボックス）となっている。
【００３２】また、この
リスト領域４６は、内部に示されている項目情報の中に、入力フォーカスを有しているコントロールに関する項目情報があった場合には、その項目情報（図３では、“用紙種類光沢紙”、図４では、“拡大縮小 144%”）が反転表示されるように制御される領域
（１５）
「【００３６】具体的には、この場合（ステップＳ１０３；タブ選択）、
ＣＰＵ２１は、ディスプレイ１２に表示させているプロパティＤＢ４０1を、表示を指示されたタブページを前面に有し、当該タブページのデフォルトのコントロールに入力フォーカスがあるものに変更する
（１６）
「【００４３】一方、
リスト領域４６内の項目情報を選択する操作がなされたことを検出した場合
プロパティＤＢ４０1を、選択された項目情報に対応するコントロールを含むタブページ或いはダイアログボックスが前面に示され、当該コントロールに入力フォーカスがあるものに変更する
（１７）
「【図３】
【図４】
」
　したがって、上記引用文献３には、プリンタ３０用のプリンタドライバ３１をインストールした情報処理装置２０において、当該情報処理装置２０のディスプレイ１２にプリンタプロパティＤＢ４０を表示し、当該プリンタプロパティＤＢ４０は、全般タブ、詳細タブ、基本設定タブ４１等を備え、当該基本設定タブ４１には、印刷品質に関する設定を行う詳細設定ダイアログボックスを表示させるための設定変更ボタン５４等が設けられ、
　当該基本設定タブ４１のリスト領域４６は、内部に示されている項目情報の中に、入力フォーカスを有しているコントロールに関する項目情報があった場合には、その項目情報が反転表示されるように制御される技術的事項、及び、当該リスト領域４６内の項目情報がユーザによって選択されると、選択された項目情報に対応するコントロールを含むタブページ或いはダイアログボックスが前面に示され、当該コントロールに入力フォーカスがあるものに変更する技術的事項が、記載されていると認められる。
第５　対比・判断
１．本願発明１について
（１）対比
　本願発明１と引用発明とを対比すると、次のことがいえる。
ア．引用発明の「複合機２」は、複写機能、プリンタ機能、ファクシミリ機能を備えており、これらは印刷する機能を備えることは自明であるから、本願発明１の「印刷装置」に相当する。
　また、引用発明の「ユーザインタフェース装置１」は、前記「複合機２」に設けられ、当該「ユーザインタフェース装置１」からの操作によって前記「複合機２」の種々な機能処理が設定されるものであるから、本願発明１の「印刷装置に接続される印刷制御装置」とは、「印刷装置のための印刷制御装置」である点で共通するといえる。
イ．引用発明の「情報を表示する画面（表示部）１１」は、本願発明１の「表示装置」に相当する。そして、引用発明の「表示処理部１４」は、当該画面１１への設定メニューに係る表示処理を行うことから、本願発明１の「表示装置の表示を制御するための表示制御手段」に相当する。
ウ．引用発明の「タッチパネル１２」は、前記表示部１１の画面上に重ねて設けられた、ユーザからの操作入力を受け付ける操作ボタンを構成することから、本願発明１の「前記表示装置に表示される画面に対する操作を受付けるための受付手段」に相当する。
エ．引用発明の「実処理部２０」は、前記タッチパネルの操作ボタンからの操作入力に応じた機能の設定処理を行うことから、本願発明１に記載された「前記受付手段が受付けた操作に応じて、前記印刷装置で実行される機能の条件設定を行うための設定手段」に相当する。
オ．引用発明の「複合機２」に設けられた「ユーザインタフェース装置１」が備える「表示処理部１４」が、画面１１に、文書保存先の指定に係る「基本スキャン」の設定メニュー２１を表示している状態において例示された「文書の保存先を指定するための「メール」「親展ボックス」、カラーモードを設定するための「フルカラー」「白黒」「白黒（写真）、」、読取解像度を設定するための「２００ｄｐｉ」「４００ｄｐｉ」「６００ｄｐｉ」」は、ユーザからの操作入力を受け付ける操作ボタンであって、当該操作入力に応じた機能の設定処理を行うための「設定項目」であるから、本願発明１の「前記印刷装置が実行可能な機能の条件を選択して設定するための操作項目」に相当する。そして、引用発明の「「
基本
設定
　そして、引用発明の「表示処理部１４」は、画面１１に、文書保存先の指定に係る「基本スキャン」の設定メニュー２１を表示している状態において、上記「文書の保存先を指定するための「メール」「親展ボックス」、カラーモードを設定するための「フルカラー」「白黒」「白黒（写真）、」、読取解像度を設定するための「２００ｄｐｉ」「４００ｄｐｉ」「６００ｄｐｉ」」を表示するための表示処理を行うことから、本願発明１に記載された「前記印刷装置が実行可能な機能の条件を選択して設定するための操作項目を含む基本設定画面を表示するよう、前記表示装置の表示を制御するための第１の表示制御手段」の機能を有するといえる。
カ．引用発明に記載された、画面１１に「基本スキャン」の設定メニュー２１を表示している状態において、当該設定メニュー２１に含まれる項目の上記操作ボタンが予め設定されている第１所定時間（例えば、１秒間）以上連続して押下（長押し）されると、判定部１３が関連する他の設定メニューの透過表示することを判定し、この判定に応じて、表示処理部１４は、当該画面表示されている設定メニュー２１の次に表示するように関連付けられている他の設定メニュー（次のページ）２２を当該設定メニューに重ねて画面１１に透過表示し、
　例えば、前記設定メニュー２１に含まれる設定項目「メール」に対して設定ボタンが第１所定時間以上にわたって押下されると、設定事項の記入欄「宛先」「件名」「返信先」、操作ボタン項目「ヘルプ」「アドレス帳」「閉じる」を含んだ次ぎの設定メニュー２２が設定メニュー２１に重ねて画面１１に透過状態で表示され、
　当該透過表示している状態で、操作ボタンが更に長押しされ、予め設定されている第１所定時間以上の第２所定時間（例えば、３秒間）以上で連続して操作ボタンが押下（長押し）されると、判定部１３が当該操作ボタンによる設定項目に対するユーザの操作入力と判定し、当該判定に応じて、実処理部２０が操作入力に従った設定処理を行い、表示処理部１４は、表示されている設定メニューを次の設定メニュー２２に切り換えて画面１１に表示することから、
　引用発明における「操作ボタンが予め設定されている第１所定時間（例えば、１秒間）以上連続して押下（長押し）され、操作ボタンが更に長押しされ、予め設定されている第１所定時間以上の第２所定時間（例えば、３秒間）以上で連続して操作ボタンが押下（長押し）される操作」は、本願発明１の「第１の操作」に相当する。
　また、引用発明に記載された、操作ボタンを第１所定時間以上連続して押下されることで透過表示され、第１所定時間以上の第２所定時間以上連続して押下されることで、切り換えて表示される「他の設定メニュー（次のページ）２２」は、本願発明１の「詳細設定画面」とは、「設定画面」である点で共通している。
　さらに、引用発明に記載された、前記「他の設定メニュー（次のページ）２２」は、例えば、設定項目「メール」の操作ボタンが上記第１所定時間以上の第２所定時間以上連続して押下されることで、切り換えて表示される項目であって、「設定事項の記入欄「宛先」「件名」「返信先」、操作ボタン項目「ヘルプ」「アドレス帳」「閉じる」を含んだ次の設定メニュー２２」であることから、本願発明１の「操作された前記操作項目で設定される機能の詳細な条件を設定するための詳細設定画面」とは、「操作された前記操作項目で設定される機能の条件を設定するための設定画面」である点で共通している。
　よって、引用発明の「表示処理部１４」は、本願発明１の「前記基本設定画面において、前記操作項目に対する第１の操作を前記受付手段が受付けたことに応答して、前記基本設定画面に代えて、操作された前記操作項目で設定される機能の詳細な条件を設定するための詳細設定画面を表示するよう、前記表示装置の表示を制御するための第２の表示制御手段」とは、「前記基本設定画面において、前記操作項目に対する第１の操作を前記受付手段が受付けたことに応答して、前記基本設定画面に代えて、操作された前記操作項目で設定される機能の条件を設定するための設定画面を表示するよう、前記表示装置の表示を制御するための第２の表示制御手段」の機能を有する点で共通するといえる。
キ．引用発明に記載された、画面１１に「基本スキャン」の設定メニュー２１を表示している場合において、当該設定メニュー２１に含まれる項目の上記操作ボタンが、第１所定時間未満で押下が終了した場合には、判定部１３が当該操作ボタンによる設定項目に対するユーザの操作入力と判定し、当該判定に応じて、実処理部２０が操作入力に従った設定処理を行い、表示処理部１４は、表示されている設定メニューを次の設定メニューに切り換えて画面１１に表示することから、
　引用発明における「操作ボタンが第１所定時間未満で押下される操作」は、「第１所定時間以上の第２所定時間以上連続して押下される操作」とは異なるものであり、本願発明１の「前記第１の操作とは異なる第２の操作」に相当する。
　また、引用発明の「実処理部２０」は、第１所定時間未満で当該操作ボタンの押下が終了した場合、当該操作ボタンによる設定項目に対するユーザの操作入力との判定に応じて、当該操作入力に従った設定処理を行うことから、本願発明１の「前記操作項目に対する前記第１の操作とは異なる第２の操作を前記受付手段が受付けたことに応答して、当該操作項目の操作により選択された条件を設定するための条件設定手段」の機能を有するといえる。
　したがって、本願発明１と引用発明との間には、次の一致点、相違点があるといえる。
＜一致点＞
「印刷装置のための印刷制御装置であって、
　表示装置の表示を制御するための表示制御手段と、
　前記表示装置に表示される画面に対する操作を受付けるための受付手段と、
　前記受付手段が受付けた操作に応じて、前記印刷装置で実行される機能の条件設定を行なうための設定手段と、を含み、
　前記表示制御手段は、
　　前記印刷装置が実行可能な機能の条件を選択して設定するための操作項目を含む基本設定画面を表示するよう、前記表示装置の表示を制御するための第１の表示制御手段と、
　　前記基本設定画面において、前記操作項目に対する第１の操作を前記受付手段が受付けたことに応答して、前記基本設定画面に代えて、操作された前記操作項目で設定される機能の条件を設定するための設定画面を表示するよう、前記表示装置の表示を制御するための第２の表示制御手段と、を含み、
　前記設定手段は、前記操作項目に対する前記第１の操作とは異なる第２の操作を前記受付手段が受付けたことに応答して、当該操作項目の操作により選択された条件を設定するための条件設定手段を含む、印刷制御装置。」
＜相違点＞
（相違点１）
　印刷装置に印刷制御装置は、本願発明１では、「接続される」のに対し、引用発明では、印刷装置の内部に「設けられる」点。
（相違点２）
　基本設定画面において、操作項目に対する第１の操作を受付手段が受付けたことに応答して、基本設定画面に代えて、本願発明１では、操作された操作項目で設定される機能の「詳細な条件を設定するための詳細設定画面」を表示するのに対し、引用発明では、「条件を設定するための設定画面」を表示する点。
（２）相違点についての判断
　事案に鑑み、上記相違点２について検討すると、引用発明の「「基本スキャン」の設定メニュー２１」に含まれる設定項目「メール」に対して、「操作ボタンが予め設定されている第１所定時間（例えば、１秒間）以上連続して押下（長押し）され、操作ボタンが更に長押しされ、予め設定されている第１所定時間以上の第２所定時間（例えば、３秒間）以上で連続して操作ボタンが押下（長押し）される操作」がなされると、「次の設定メニュー２２」に画面１１が切り換えられるが、当該「次の設定メニュー２２」は、引用発明においては、依然として、「基本スキャン」の設定メニューの画面のままであって、「基本スキャン」の画面において、隣接するタブによって同時にその存在が図示されている「詳細設定」の画面に切り換えられていないものである。
　すなわち、引用発明の「次の設定メニュー２２」には、設定事項の記入欄「宛先」「件名」「返信先」、操作ボタン項目「ヘルプ」「アドレス帳」「閉じる」を含む項目が表示されるが、これらの項目は、当該引用発明において、依然として「基本スキャン」の設定メニューに含まれる別の項目に過ぎないものであって、本願発明１のように、「詳細な条件を設定するための詳細設定画面」を表示する技術的事項とは異なるものである。
　また、「第４　引用文献、引用発明等」の「２．引用文献２について」及び「３．引用文献３について」には、それぞれ引用文献２及び引用文献３に記載された技術的事項が示されているが、上記相違点２に係る本願発明１の「基本設定画面において、操作項目に対する第１の操作を受付手段が受付けたことに応答して、前記基本設定画面に代えて、操作された前記操作項目で設定される機能の詳細な条件を設定するための詳細設定画面を表示する」という構成は、上記いずれの引用文献にも記載されておらず、当業者といえども、引用発明、引用文献２及び引用文献３に記載された技術的事項から、相違点２に係る本願発明１の上記構成を容易に想到することはできない。
　したがって、上記相違点１について判断するまでもなく、本願発明１は、当業者であっても、引用発明、引用文献２及び引用文献３に記載された技術的事項に基づいて容易に発明できたものとはいえない。
２．本願発明２−６について
　本願発明２−６も、本願発明１の「基本設定画面において、操作項目に対する第１の操作を受付手段が受付けたことに応答して、前記基本設定画面に代えて、操作された前記操作項目で設定される機能の詳細な条件を設定するための詳細設定画面を表示する」構成と同一の構成を備えるものであるから、本願発明１と同じ理由により、当業者であっても、引用発明、引用文献２及び引用文献３に記載された技術的事項に基づいて容易に発明できたものとはいえない。
３．本願発明７について
　本願発明７は、本願発明１に対応する方法の発明であり、本願発明１の「基本設定画面において、操作項目に対する第１の操作を受付手段が受付けたことに応答して、前記基本設定画面に代えて、操作された前記操作項目で設定される機能の詳細な条件を設定するための詳細設定画面を表示する」構成に対応する構成を備えるものであるから、本願発明１と同様の理由により、当業者であっても、引用発明、引用文献２及び引用文献３に記載された技術的事項について容易に発明できたものとはいえない。
４．本願発明８について
　本願発明８は、本願発明１に対応するプログラムの発明であり、本願発明１の「基本設定画面において、操作項目に対する第１の操作を受付手段が受付けたことに応答して、前記基本設定画面に代えて、操作された前記操作項目で設定される機能の詳細な条件を設定するための詳細設定画面を表示する」構成に対応する構成を備えるものであるから、本願発明１と同様の理由により、当業者であっても、引用発明、引用文献２及び引用文献３に記載された技術的事項について容易に発明できたものとはいえない。
第６　むすび
　以上のとおり、本願発明１−８は、当業者が引用発明、引用文献２及び引用文献３に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。